(57)【要約】【課題】様々な情報入力端末から、位置情報とその位置に関わる人数をカウントして、リアルタイム性を保証しながら、それを加工してユーザの望む形態で参照できるようにする。【解決手段】情報配信システムとして、情報入力端末と、情報入力端末に接続され様々な種類の情報入力端末から送られてくるデータを統一された形式に変換する施設毎カウント処理装置と、一定時間毎にデータを解析して情報加工送信サーバに送信する地域毎カウント処理装置と、送られてくるデータを要求された形態に加工する情報加工送信サーバと、データを参照する情報参照用端末とを設ける。情報入力端末からは、位置情報とカウントした人の人数を施設毎カウント処理装置に送信する。【選択図】        図１
2004288120.tif 000002
【特許請求の範囲】
【請求項１】
複数の情報入力端末からデータを収集するための情報収集システムにおいて、
前記情報入力端末に接続される集計装置を有し、
前記情報入力端末は、その情報入力端末の位置情報を含むデータを前記集計装置に送信して、
前記集計装置は、前記複数の情報入力端末から送信されてくるデータの集計と解析をおこない、データのフォーマットを統一された形式に変換して出力することを特徴とする情報収集システム。
【請求項２】
前記集計装置は、一定時間毎にデータの解析と出力をおこなうことを特徴とする請求項１記載の情報収集システム。
【請求項３】
前記集計装置は、階層化されていて、前記情報入力端末または下位の集計装置から送られてくるデータの集計と解析をおこない、上位の集計装置に出力する機能を有することを特徴とする請求項１記載の情報収集システム。
【請求項４】
前記施設毎集計装置は、接続されている前記情報入力端末の位置を考慮した位置情報、データの送信された時間に基づく時間情報を付加することを特徴とする請求項１記載の情報収集システム。
【請求項５】
複数の情報入力端末からデータを収集するための情報収集システムにおいて、
前記情報入力端末に接続される施設毎集計装置と、
前記施設毎集計装置に接続される地域毎集計装置とを有し、
前記施設毎集計装置は、異なった種類の前記情報入力端末から送信されてくるデータの集計と解析をおこなって、データを統一された形式に変換して前記地域毎集計装置に送信し、
前記地域毎集計装置は、前記施設毎集計装置から送信されてくるデータを一定時間毎に解析して出力することを特徴とする情報収集システム。
【請求項６】
複数の情報入力端末からデータを収集し、そのデータを加工してユーザに配信するための情報配信システムにおいて、
前記情報入力端末からデータの集計と解析をおこなう集計装置と、
前記集計装置からデータを受け取る情報加工送信サーバと、
ユーザが情報要求をおこなって、データを参照する情報参照用端末とを有し、
前記情報入力端末に接続される下位の集計装置と、前記情報加工送信サーバにデータを提供する上位の集計装置とを含み、
前記下位の集計装置では、データを統一された形式に変換して前記上位の集計装置に送信し、前記上位の集計装置では、一定時間毎にデータを解析して前記情報加工送信サーバに送信することを特徴とする情報配信システム。
【請求項７】
前記情報入力端末が、駅の改札機、出入り口センサ、エレベータ乗降センサの場合であって、その情報入力端末の位置情報と、カウントした人数とを前記集計装置に送信することを特徴とする請求項６記載の情報配信システム。
【請求項８】
前記情報入力端末が、ＥＴＣ（Ｅｌｅｃｔｒｏｎｉｃ  Ｔｏｌｌ  Ｃｏｌｌｅｃｔｉｏｎ  Ｓｙｓｔｅｍ）端末であって、その情報入力端末の位置情報と、カウントした車両台数とを前記集計装置に送信することを特徴とする請求項６記載の情報配信システム。
【請求項９】
前記情報入力端末が、チケット発券端末であって、発券したチケットに関する催し物の場所情報と、開催時期情報と、チケット発券により予想される催し物の参加人数情報とを前記集計装置に送信することを特徴とする請求項６記載の情報配信システム。
【請求項１０】
前記情報入力端末が、ＰＯＳシステムのレジ端末であって、その情報入力端末の位置情報と、そこで購入した顧客の人数情報と、そこで購入した顧客の属性情報とを前記集計装置に送信することを特徴とする請求項６記載の情報配信システム。
【請求項１１】
前記情報入力端末が、携帯電話端末であって、その情報入力端末の位置情報を前記集計装置に送信することを特徴とする請求項６記載の情報配信システム。
【請求項１２】
前記情報参照用端末は、ユーザが要求した形態に基づいて、前記情報加工送信サーバに情報を要求し、前記情報加工送信サーバは、その要求に適合するように前記集計装置から送信されてきたデータを加工して、前記情報参照用端末に送信し、
ユーザは、要求した形態に加工された情報を参照することができることを特徴とする請求項６記載の情報配信システム。
【請求項１３】
前記情報加工送信サーバは、
前記情報入力端末がゲートを通過する人数を収集する端末であるときに、指定ゲートの設定した日時や時間毎の通過人数情報、また、前記情報入力端末がカウントした人の属性情報を入力できる端末であるときに、その通過人数情報または属性情報を前記情報参照用端末に送信することを特徴とする請求項６記載の情報配信システム。
【請求項１４】
前記情報加工送信サーバは、前記集計装置から提供された情報を、ユーザが地図上で確認する事ができるように、地図上にマッピングして、前記情報参照用端末に送信することを特徴とする請求項６記載の情報配信システム。
【請求項１５】
この情報配信システムは、
さらに、データベースシステムを含み、
前記情報加工送信サーバは、前記データベースシステムに前記集計装置から提供された情報を蓄積し、過去の履歴情報や未来の予想情報を作成し前記情報参照用端末に送信することを特徴とする請求項６記載の情報配信システム。
【請求項１６】
前記情報加工送信サーバは、前記情報参照用端末から要求される検索条件に基づき、前記集計装置から提供された情報を検索し、検索結果情報を、前記情報参照用端末に送信することを特徴とする請求項６記載の情報配信システム。
【請求項１７】
複数の情報入力端末からデータを収集し、そのデータを加工してユーザに配信するための情報配信方法において、
前記情報入力端末は、その情報入力端末が存在する位置に関わる人数をカウントする装置であり、
前記情報入力端末は、前記情報入力端末から、その情報入力端末の位置と人数データを含むデータを、集計装置に送信し、
前記集計装置は、データの集計と解析をおこなって、情報加工送信サーバに送信し、
前記情報加工送信サーバでは、ユーザが参照する形式にデータ加工をおこなって、情報参照用端末に送信し、
ユーザは、所望の情報を前記情報参照用端末により参照することを特徴とする情報配信方法。
【請求項１８】
さらに、システム上に課金手段を有し、
前記課金手段は、ユーザとの合意によりユーザの口座から情報利用料金を引き落とし、その代価として、ユーザに前記情報参照用端末で所望の情報を参照できるようにすることを特徴とする請求項１７記載の情報配信方法。
【請求項１９】
複数の情報入力端末からデータを収集し、そのデータを加工してユーザに配信するための情報配信方法において、
前記情報入力端末は、チケット発券端末であって、
前記情報入力端末は、発券したチケットに関する催し物の場所情報と、開催時期情報と、チケット発券により予想される催し物の参加人数情報とを集計装置に送信して、
前記集計装置は、データの集計と解析をおこなって、情報加工送信サーバに送信し、
前記情報加工送信サーバでは、ユーザが参照する形式にデータ加工をおこなって、情報参照用端末に送信し、
ユーザは、催し物情報を前記情報参照用端末により参照できるようにすることを特徴とする情報配信方法。
【請求項２０】
外部からのデータを収集し、そのデータを加工してユーザに配信するための情報配信システムに接続される情報入力端末おいて、
この情報配信システムは、
前記情報入力端末からデータの集計と解析をおこなう施設毎集計装置、地域毎集計装置と、
前記集計装置からデータを受け取る情報加工送信サーバと、
ユーザが情報要求をおこなって、データを参照する情報参照用端末とを有し、
前記施設毎集計装置は、前記情報入力端末データを統一された形式に変換して地域毎集計装置に送信し、
前記地域毎集計装置では、一定時間毎にデータを解析して前記情報加工送信サーバに送信することを特徴とする情報配信システムであって、
その情報入力端末の位置情報をデータに含めて、前記施設毎集計装置に送信することのできる情報入力端末。
【請求項２１】
前記情報入力端末は、ゲートの通過人数もデータに含めて送信することを特徴とする請求項２０記載の情報入力端末。
【請求項２２】
前記情報入力端末は、顧客の属性情報、チケット販売時における催し物に関する情報もデータに含めて送信することを特徴とする請求項２０記載の情報入力端末。
【請求項２３】
複数の情報入力端末からデータを収集し、そのデータを加工してユーザに配信するための情報配信システムに用いられる情報参照用端末において、
この情報配信システムは、
それが存在する位置に関わる人数をカウントする前記情報入力端末と、
前記情報入力端末は、前記情報入力端末から、その情報入力端末の位置と人数データを含むデータを、集計装置に送信し、
前記集計装置は、データの集計と解析をおこなって、情報加工送信サーバに送信し、
前記情報加工送信サーバでは、ユーザが参照する形式にデータ加工をおこなって、情報参照用端末に送信するシステムであって、
前記情報参照用端末は、ユーザが要求した形態に基づいて、前記情報加工送信サーバに情報を要求して、その要求した形態に加工された情報を参照することができることを特徴とする情報参照用端末。
【請求項２４】
前記情報参照用端末は、検索条件を入力して、前記集計装置から提供された情報を検索した検索結果情報を、参照できることを特徴とする請求項２３記載の情報参照用端末。
【請求項２５】
前記情報配信システムは、さらに、システム上に課金手段を有し、
前記情報参照用端末は、ユーザへの課金の合意により、所望の情報を参照できるようにすることを特徴とする請求項２３記載の情報参照用端末。
【発明の詳細な説明】
【０００１】
【発明の属する技術分野】
本発明は、情報配信システムおよび情報配信方法に係り、人の流れとそれに関する情報を取得して、ビジネスのチャンスを図ることのできる分野に用いて好適な情報配信システムおよび情報配信方法に関する。
【０００２】
【従来の技術】
小型でモバイルな情報携帯端末とサーバを接続して、ユーザに位置情報に関するサービスを提供する発明としては、例えば、特許文献１に開示されている。
【０００３】
【特許文献１】
特開２００２−１５２１５号公報
【０００４】
【発明が解決しようとする課題】
上記従来技術は、ユーザに情報携帯端末を持たせておき、サーバ側では、ユーザが必要な地図などを送信する。
【０００５】
しかしながら、上記従来技術では、個々のユーザの位置情報を把握して、そのユーザにサービスを提供するものであり、人の流れを把握して、それに対処するようなシステムではない。
【０００６】
人の流れを把握するためには、駅の改札口や出入り口のゲートなどの通過人数、携帯電話などの使用者など多様な形態で取り扱う必要がある。
【０００７】
したがって、様々な入力装置から集められてくる情報を統一して扱う必要があった。
【０００８】
また、上記従来技術では、さらにサーバーが情報を収集処理する際に時間同期管理をしていないために、リアルタイム性が保証されない。例えば、情報端末が複数あったときに、情報端末からサーバーへ送信される遅延時間が端末間で一定で無いために、サーバーへ反映される情報の更新時間がずれたり、ある時間にアクセスが集中して過負荷に陥るという問題点があった。
【０００９】
本発明は、上記問題点を解決するためになされたもので、その目的は、様々な情報入力端末から、位置情報とその位置に関わる人数をカウントして、リアルタイム性を保証しながら、それを加工してユーザの望む形態で参照することのできる情報配信システムを提供することにある。
【００１０】
また、人の流れがビジネスの重要なファクターであるビジネス分野にビジネスの機会を広げるような情報配信方法を提供することにある。
【００１１】
【課題を解決するための手段】
本発明は、複数の情報入力端末からデータを収集し、そのデータを加工してユーザに配信するための情報配信システムにおいて、それらの情報入力端末からデータの集計と解析をおこなう集計装置と、集計装置からデータを受け取る情報加工送信サーバと、ユーザが情報要求をおこなって、データを参照する情報参照用端末とを設ける。
【００１２】
そして、集計装置は、情報入力端末に接続される下位の施設毎カウント処理装置と、その上位に位置して、情報加工送信サーバにデータを提供する地域毎カウント処理装置である。地域毎カウント処理装置は、階層を持ってシステムの規模により増やしてもよい。
【００１３】
施設毎カウント処理装置では、様々な種類の情報入力端末から送られてくるデータを統一された形式に変換して、地域毎カウント処理装置に送信し、地域毎カウント処理装置では、一定時間毎にデータを解析して情報加工送信サーバに送信する。
【００１４】
情報入力端末は、駅の改札機、出入り口センサ、エレベータ乗降センサの場合、  ＥＴＣ端末の場合、チケット発券会社のチケット発券端末の場合、ＰＯＳシステムのレジ端末の場合、携帯電話端末などが考えられる。
【００１５】
駅の改札機、出入り口センサ、エレベータ乗降センサ、ＥＴＣ端末では、その端末の位置情報と、カウントした人数、車両台数を含む情報を施設毎カウント処理装置に送信する。
【００１６】
チケット発券会社のチケット発券端末では、発券したチケットに関する催し物の場所情報と、開催時期情報と、チケット発券により予想される催し物の参加人数情報を含む情報を施設毎カウント処理装置に送信する。
【００１７】
ＰＯＳシステムのレジ端末では、その端末の位置情報と、そこで購入した顧客の人数情報と、そこで購入した顧客の属性情報を含む情報を施設毎カウント処理装置に送信する。
【００１８】
また、携帯電話端末では、その端末の位置情報を含む情報を施設毎カウント処理装置に送信する。
【００１９】
情報加工送信サーバは、ユーザの要求する形態に応じてデータを加工して情報参照用端末に送信する。
【００２０】
ユーザは、場合によっては有料で、情報参照用端末で送られてくる情報を所望の形態で参照することができる。
【００２１】
【発明の実地の形態】
以下、本発明に係る各実施形態について、図１ないし図２１を用いて説明する。
【００２２】
〔情報配信システムの構成〕
先ず、図１を用いて本発明に係る情報配信システムの構成について説明する。
図１は、本発明に係る情報配信システムの構成図である。
【００２３】
本発明の情報配信システムは、図１に示されるように、情報を収集する複数の情報入力端末２１−ａ〜２１−ｎ、施設毎カウント処理装置１０−ａ〜１０−ｎ、地域毎カウント処理装置８０−ａ〜８０−ｎ、データベースサーバ３０、情報加工送信サーバ４１、インターネット５０などの公衆回線網、および、情報参照用端末６０−ａ〜６０−ｎである。
【００２４】
情報入力端末２１−ａ〜２１−ｎは、例えば、改札機、出入り口センサ、ＥＴＣトールゲートなどのゲート設けて通過する人数、車両台数をカウントするもの、チケット管理システムのチケット発券端末、ＰＯＳシステムのレジ端末などの扱っている人の情報を入力できるもの、携帯電話端末、ＰＤＡ端末などのように個人が所有しているものがある。
【００２５】
これらは、改札機、出入り口センサや携帯電話端末などは、その端末の位置情報と人の所在を結びつけることが可能であり、チケット管理システムのチケット発券端末、ＰＯＳシステムのレジ端末は、顧客の属性を管理することができる端末である。
【００２６】
情報入力端末２１−ａ〜２１−ｎは、施設毎カウント処理装置１０−ａ〜１０−ｎに接続されており、その位置情報と人数情報と情報取得時間、そして付随する属性情報を施設毎カウント処理装置１０に送信する。この属性情報には年齢、性別、職業等の情報が含まれる。ＰＯＳシステムのレジには、顧客の情報を入力することは、一般におこなわれている。また、チケット管理システムのチケット発券端末では、そのチケットに関わる催し物に関する属性情報も送信される。
【００２７】
情報入力端末２１−ａ〜２１−ｎは、その形態と設置されているエリアとによりグループ化される。例えば、東京駅の改札機はすべて一つのグループになるが、新宿駅の改札機は他グループに分類されるし、同じ東京駅内でもエレベータ乗降センサは他グループに分類される。また、例えば、東京駅八重洲口の改札機を、一つのサブグループ、東京駅丸の内口の改札機を、一つのサブグループとしてもよい。
【００２８】
施設毎カウント処理装置１０−ａ〜１０−ｎは、情報入力端末２１−ａ〜２１−ｎと地域毎カウント処理装置８０−ａ〜８０−ｎに接続されている。
【００２９】
施設毎カウント処理装置１０−ａ〜１０−ｎは、前述で分類された情報入力端末グループに最低一つは設置されるべき装置である。施設毎カウント処理装置１０−ａ〜１０−ｎは、施設内の情報入力端末の種類の数だけ設置される可能性があるが、施設毎カウント処理装置１０−ａ〜１０−ｎが、複数の種類の情報入力端末のインタフェースを取り扱えるときには、設置する台数を減らすことができる。
【００３０】
一つの施設毎カウント処理装置は、担当するグループ内の複数の情報入力端末から送信される情報を常に受信しており、この情報を特定の統一されたフォーマットに変換し、地域毎カウント処理装置８０−ａ〜８０−ｎに送信する。この施設毎カウント処理装置１０−ａ〜１０−ｎが様々な情報入力端末種類のデータフォーマットの違いを吸収するため、システムに様々なタイプの情報入力端末を接続することができる。したがって、ある情報入力端末２１−ａは、改札機を用い、ある情報入力端末２１−ｂは、出入り口センサ、また、他の情報入力端末２１−ｃは、携帯電話端末という用い方が可能である。さらに、施設毎カウント処理装置１０−ａ〜１０−ｎにこのような機能を持たせることにより、システムに新たな種類の情報入力端末、新たな地域への情報入力端末を追加することが容易になるという利点もある。
【００３１】
データフォーマットの統一ということで言えば、例えば、情報入力端末が人が通過したという情報のみならず、位置情報や時間情報を送ることができる情報入力端末である場合には、特に情報を付加する必要性はないが、そうでない場合には施設毎カウント処理装置が位置情報や時間情報といった情報を付加する事により、同一レベルの情報を地域毎カウント処理装置に提供することができる。
【００３２】
施設毎カウント処理装置１０−ａ〜１０−ｎは、システムの形態に従って、適当な地域毎カウント処理装置８０−ａ〜８０−ｎに接続されている。図１では、施設毎カウント処理装置１０−ａ〜１０−ｎと地域毎カウント処理装置８０−ａ〜８０−ｎは、一対一に対応しているが、複数台の施設毎カウント処理装置１０−ａ〜１０−ｎに一台の地域毎カウント処理装置８０が対応している場合もある。また、地域毎カウント処理装置８０−ａ〜８０−ｎにいくつかの階層を設け、例えば、都道府県レベルでの上位の地域毎カウント処理装置８０−１とその都道府県の市町村レベルでの下位の地域毎カウント処理装置８０−１−１〜８０−１−ｎという構成にしてもよい。
【００３３】
地域毎カウント処理装置８０−ａ〜８０−ｎは、各地域に最低一つは設置されるべき装置であり、常時、施設毎カウント処理装置１０−ａ〜１０−ｎからの情報を受信しており、一時的に地域毎カウント処理装置内部に持つメモリーまたはＨＤＤ（Ｈａｒｄ  Ｄｉｓｋ  Ｄｒｉｖｅ）などの補助記憶装置に記憶する。そしてメモリー内部の情報の情報取得時間を元に一定期間内の情報をまとめて処理し、処理された情報をデータベースサーバ３０に送信する。例えば１分ごとに情報更新をするならば、情報取得時間が１２時０１分００秒から１２時０１分５９秒までの情報を纏めて、データベースサーバ３０に送信することになる。
【００３４】
データベースサーバ３０は、複数の地域毎カウント処理装置８０−ａ〜８０−ｎから送信される情報を受信して、データベース内の情報を更新する。
【００３５】
情報加工送信サーバ４１はデータベースサーバ３０とインターネット５０などの公衆回線網に接続されており、データベースサーバ３０から情報を取得したり、ユーザが情報参照用端末６０−ａ〜６０−ｎを用いてアクセスした時に情報請求画面情報を提供したり、ユーザの要求に応じた情報の加工をおこなう。情報加工送信サーバ４１は、システムに一台でもよいが、情報処理の負荷分散のために複数設置してもよい。この場合には、複数の情報加工送信サーバがデータベースサーバに接続されることになる。
【００３６】
情報参照用端末６０−ａ〜６０−ｎは、ユーザが実際に操作する端末であり、ＰＣ（パーソナルコンピュータ）、携帯電話端末、ＰＤＡ（Ｐｅｒｓｏｎａｌ  Ｄｉｇｉｔａｌ  Ａｓｓｉｓｔａｎｃｅ）端末、あるいは、専用端末などである。ユーザはこの端末を用いて情報加工送信サーバ４１にインターネット５０を通してアクセスすると、情報加工送信サーバ４１から情報請求画面情報が送信されてくる。ユーザはこの画面に従い、情報の種類や形態を要求する。この画面によって作成された要求情報は、情報加工送信サーバ４１に送信され、情報加工送信サーバ４１は、この要求情報に基づいて必要な情報をデータベースサーバ３０から取得しその情報を適切に加工して、情報参照用端末６０−ａ〜６０−ｎに送信する。ユーザは、情報参照用端末６０−ａ〜６０−ｎを参照して必要な情報を得ることができる。
【００３７】
〔情報入力端末のバリエーション〕
次に、本実施形態に係る情報入力端末のバリエーションとその処理について、図２ないし図１４を用いて説明する。
（Ｉ）改札機
先ず、情報入力端末が改札機である場合の情報収集システムの構成と情報収集の手順について、図２および図３を用いて説明する。
図２は、情報入力端末が改札機である場合の情報収集システムの構成図である。
図３は、情報入力端末が改札機である場合の実施手順を示したフローチャートである。
【００３８】
各改札機２５−ａ〜２５−ｎは、人が通常の乗車券や定期券で通過する度にカウント信号を施設毎カウント処理装置１０に送信する。さらに、人がＩＣカードに記憶する電子情報を含む乗車券、定期券で通過した場合には、カウント信号に加え付随する属性情報を同時に施設毎カウント処理装置１０に送信する。
【００３９】
施設毎カウント処理装置１０は、各改札から送信された情報に位置情報と時間情報を付加した情報を地域毎カウント処理装置８０に送信し、地域毎カウント処理装置８０は情報を処理した後、データベースサーバ３０に情報を送信する。
【００４０】
このときの情報収集の手順は、以下の図３のフローチャートのようになる。
【００４１】
改札機が通過人数、日時、属性情報を読み取る（ステップＳ３−２）。駅毎に設置された施設毎カウント処理装置１０へ情報を送信する（ステップＳ３−３）。施設毎カウント処理装置は、地域毎カウント処理装置へ情報を送信るす（ステップＳ３−４）。
【００４２】
地域毎カウント処理装置は、一定時間毎に情報を整理したあとデータベースへ情報を送信する（ステップＳ３−５）。そして、データベースサーバ３０は、情報を更新する（ステップＳ３−６）。
（ＩＩ）出入り口センサ
次に、情報入力端末が出入り口センサである場合の情報収集システムの構成と情報収集の手順について、図４および図５を用いて説明する。
図４は、情報入力端末が出入り口センサである場合の情報収集システムの構成図である。
図５は、情報入力端末が出入り口センサである場合の実施手順を示したフローチャートである。
【００４３】
各出入り口センサ２６−ａ〜２６−ｎは、人が通過する度にカウント信号を施設毎カウント処理装置１０に送信する。さらに、出入り口センサにおいて属性情報を読み取ることが可能な場合には、カウント信号に加え付随する属性情報を同時に施設毎カウント処理装置１０に送信する。
【００４４】
ここで、出入り口センサ２６−ａ〜２６−ｎ自体からは、位置情報と時間情報と時間情報が送られてこないとすると、施設毎カウント処理装置１０は、各出入り口センサから送信された情報に位置情報と時間情報を付加した情報を地域毎カウント処理装置８０に送信する。例えば、施設毎カウント処理装置１０が、ＸＸビルの出入り口センサの全てを管理しているときには、「ＸＸビル」という位置情報を付け加えることができる。また、時間情報は、各情報を受け取った時間でよい。
【００４５】
地域毎カウント処理装置８０は、送信されてきた情報を処理した後に、データベースサーバ３０に情報を送信する。
【００４６】
このときの情報収集の手順は、以下の図５のフローチャートのようになる。
【００４７】
出入り口センサが通過人数を読み取り（ステップＳ５−２）、施設毎カウント処理装置へ情報を送信する（ステップＳ５−３）。施設毎カウント処理装置は、受信した情報に位置情報と時間情報を付加して、地域毎カウント処理装置へ情報を送信する（ステップＳ５−４）。
【００４８】
地域毎カウント処理装置は一定時間毎に送信されてくる情報を整理したあとで、データベースサーバ３０へ情報を送信する（ステップＳ５−５）。
（ＩＩＩ）チケット発券端末
次に、情報入力端末がチケット発券会社のチケット発券端末である場合の情報収集システムの構成と情報収集の手順について、図６および図７を用いて説明する。
図６は、情報入力端末がチケット発券端末である場合の情報収集システムの構成図である。
図７は、情報入力端末がチケット発券端末である場合の実施手順を示したフローチャートである。
【００４９】
チケット発券システムの各チケット発券端末２９−ａ〜２９−ｎが、チケットを発券する度にカウント信号と催し物が開催される場所の位置情報と開催日時情報を施設毎カウント処理装置１０に送信する。さらに、チケット発券端末において属性情報を読み取ることが可能な場合にはカウント信号に加え付随する属性情報を同時に施設毎カウント処理装置１０に送信する。
【００５０】
施設毎カウント処理装置１０は、各チケット発券端末から送信された情報を集計して、地域毎カウント処理装置８０に送信する。
【００５１】
そして、地域毎カウント処理装置８０は、送信されてきた情報を処理した後に、データベースサーバ３０に情報を送信する。
【００５２】
このときの情報収集の手順は、以下の図７のフローチャートのようになる。
【００５３】
チケット発券端末がチケット発券の人数、催し物の場所情報、開催日時情報、発券の時間情報、属性情報などの必要な情報を（ステップＳ５−２）、施設毎カウント処理装置へ情報を送信する（ステップＳ５−３）。
【００５４】
施設毎カウント処理装置は、地域毎カウント処理装置へ情報を送信（ステップＳ５−４）。地域毎カウント処理装置は、一定時間毎に送信されてくる情報を整理したあとデータベースへ情報を送信する（ステップＳ５−５）。
（ＩＶ）エレベータ乗降センサ
次に、情報入力端末がエレベータ乗降センサである場合の情報収集システムの構成と情報収集の手順について、図８および図９を用いて説明する。
図８は、情報入力端末がエレベータ乗降センサである場合の情報収集システムの構成図である。
図９は、情報入力端末がエレベータ乗降センサである場合の実施手順を示したフローチャートである。
【００５５】
各エレベータ乗降センサ２７−ａ〜２７−ｎは、人が通過する度にカウント信号を施設毎カウント処理装置１０に送信する。さらに、エレベータ乗降センサ２７−ａ〜２７−ｎにおいて属性情報を読み取ることが可能な場合にはカウント信号に加え、付随する属性情報を同時に施設毎カウント処理装置１０に送信する。
【００５６】
施設毎カウント処理装置１０は、各エレベータ乗降センサから送信された情報に位置情報と時間情報を付加した情報を地域毎カウント処理装置８０に送信し、地域毎カウント処理装置８０は情報を処理した後、データベースサーバ３０に、送信されてきた情報を送信する。位置情報は、例えば、エレベータが設置されているビル名などが考えられる。
【００５７】
このときの情報収集の手順は、以下の図９のフローチャートのようになる。
【００５８】
エレベータ乗降センサが通過人数をカウントし（ステップＳ９−２）、施設毎カウント処理装置へ情報を送信する（ステップＳ９−３）。施設毎カウント処理装置は、送信されてきた情報に位置情報と時間情報を付加して、地域毎カウント処理装置へ情報を送信する（ステップＳ９−４）。
【００５９】
地域毎カウント処理装置は、一定時間毎に送信されてきた情報を整理したあとデータベースへ情報へ送信する（ステップＳ９−５）。
（Ｖ）ＰＯＳシステムのレジ端末
次に、情報入力端末がＰＯＳシステムのレジ端末である場合の情報収集システムの構成と情報収集の手順について、図１０および図１１を用いて説明する。
図１０は、情報入力端末がＰＯＳシステムのレジ端末である場合の情報収集システムの構成図である。
図１１は、情報入力端末がＰＯＳシステムのレジ端末である場合の実施手順を示したフローチャートである。
【００６０】
各ＰＯＳシステムに接続されたレジ端末２８−ａ〜２８−ｎで買い物の入力をする度に、カウント信号と位置情報と時間情報を施設毎カウント処理装置１０に送信する。さらに、ＰＯＳシステムに接続されたレジ端末において顧客の属性情報、例えば、性別、職業、年齢などを入力することが可能な場合には、カウント信号に加え、付随する顧客の属性情報を同時に施設毎カウント処理装置１０に送信する。
【００６１】
施設毎カウント処理装置１０は、各ＰＯＳシステムに接続されたレジ端末から送信された情報を集計して、地域毎カウント処理装置８０に送信する。そして、地域毎カウント処理装置８０は、送信されてきた情報を処理した後に、データベースサーバ３０に情報を送信する。
（Ｖ）ＥＴＣ端末
次に、情報入力端末がＥＴＣ端末である場合の情報収集システムの構成と情報収集の手順について、図１２を用いて説明する。
図１２は、情報入力端末がＥＴＣ端末である場合の情報収集システムの構成図である。
【００６２】
ＥＴＣ（Ｅｌｅｃｔｒｏｎｉｃ  Ｔｏｌｌ  Ｃｏｌｌｅｃｔｉｏｎ  Ｓｙｓｔｅｍ）は、有料道路の料金支払いなどを自動化するシステムであり、渋滞解消、料金所のノンストップ通過に役立つシステムであるとして期待されている。
【００６３】
ＥＴＣでは、車両の通過管理のために、通常、トールゲートと呼ばれるゲートにより、車両の通過を無線でセンスする。このトールゲートがここでいうＥＴＣ端末である。
【００６４】
各トールゲート２４−ａ〜２４−ｎは、車両が通過する度にカウント信号を施設毎カウント処理装置１０に送信する。さらに、トールゲート２７−ａ〜２７−ｎにおいて車両の属性情報を読み取ることが可能な場合にはカウント信号に加え、付随する属性情報を同時に施設毎カウント処理装置１０に送信する。
【００６５】
施設毎カウント処理装置１０は、例えば、各インターチェンジに置かれるＥＴＣ管理サーバの機能として実現してもよいし、各インターチェンジに専用の装置を設けてもよい。
【００６６】
施設毎カウント処理装置１０は、各トールゲートから送信された情報に位置情報と時間情報を付加した情報を地域毎カウント処理装置８０に送信し、地域毎カウント処理装置８０は情報を処理した後に、データベースサーバ３０に、送信されてきた情報を送信する。地域毎カウント処理装置８０は、例えば、東海地方のインターチェンジを管轄する装置である。
（ＶＩ）携帯電話端末
次に、情報入力端末が携帯電話端末である場合の情報収集システムの構成と情報収集の手順について、図１３を用いて説明する。
図１３は、情報入力端末が携帯電話端末である場合の情報収集システムの構成図である。
【００６７】
携帯電話端末は、その使用位置を管理する基地局が定まっている。
【００６８】
したがって、携帯電話端末の位置情報は、基地局である程度おさえることができる。各携帯電話端末２３−ａ〜２３−ｎの通信は、基地局を介してなされる。施設毎カウント処理装置１０は、基地局の送受信装置の中の機能として設けてもよいし、基地局の中に別に専用の装置を設けてもよい。
【００６９】
地域毎カウント処理装置８０は、さらに施設毎カウント処理装置１０のある基地局より上位の基地局の中に置かれる。
【００７０】
施設毎カウント処理装置１０は、各携帯電話端末から送信された情報に位置情報と時間情報を付加した情報を地域毎カウント処理装置８０に送信し、地域毎カウント処理装置８０は情報を処理した後に、データベースサーバ３０に、送信されてきた情報を送信する。
【００７１】
〔情報参照用端末からの情報要求の実施手順〕
次に、図１４を用いて本実施形態に係る情報参照用端末６０からの情報要求の実施手順について説明する。
図１４は、本実施形態に係る情報参照用端末６０からの情報要求の実施手順を示したフローチャートである。
【００７２】
ユーザは、情報参照用端末６０より情報加工送信サーバへアクセス要求をする（ステップＳ１２−２）。
【００７３】
情報加工送信サーバは、必要な情報を選択するための情報要求画面の情報を送信する（ステップＳ１２−３）。そして、ユーザはその画面から必要な情報の種類を選択して、要求情報を情報加工送信サーバへ送信する（ステップＳ１２−４）。
【００７４】
情報加工送信サーバは、受信した要求情報を解析する（ステップＳ１２−５）。
【００７５】
〔情報配信システムの要求情報解析と情報出力の実施手順〕
次に、図１５を用いて本実施形態に係る情報配信システムの要求情報解析と情報出力の実施手順について説明する。
【００７６】
図１５は、本実施形態に係る情報配信システムの要求情報解析と情報出力の実施手順の実施手順を示したフローチャートである。
【００７７】
ここでは、情報入力端末として、ゲート通過人数をカウントできる装置と、携帯電話端末のようにあるエリアに存在する人の人数（以下、「エリア人数」）をカウントできる装置が併用されて、施設毎カウント処理装置１０に接続されているものとする。
【００７８】
ユーザは。要求種別を指定する（ステップ１３−２）。要求種別は、「ゲート通過人数情報を要求」か「エリア人数情報要求」である。
【００７９】
要求種別が「エリア人数情報要求」のときは、ユーザは、要求するエリア（ステップＳ１２−３）と必要な情報の時間指定情報（ステップＳ１３−４）を指定し、情報加工配信サーバ４１に要求を出す。情報加工配信サーバ４１は、データベースサーバ３０より情報を取得し（ステップＳ１３−５）、要求された形式に適合するように情報を加工して（ステップＳ１３−６）
そして、加工された情報を情報参照用端末６０に送信する（ステップＳ１３−７）。情報参照用端末６０は、画面に送信された情報を結果として表示する（ステップＳ１３−８）。
【００８０】
要求種別が「ゲート通過人数情報を要求」のときは、ユーザは、情報参照用端末６０により日付、時間、期間、ゲート位置名、情報の形式を指定し、要求情報を情報加工送信サーバに送信する（ステップＳ１３−１０）。
【００８１】
情報加工配信サーバは要求内容に従い、必要な情報をデータベースサーバ３０より取得して（ステップＳ１３−１１）、情報を要求された形式に加工する（ステップＳ１３−１２）。
【００８２】
そして、加工された情報を情報参照用端末６０に送信する（ステップＳ１３−１３）。情報参照用端末６０は、画面に送信された情報を結果として表示する（ステップＳ１３−１４）。
【００８３】
〔ゲート通過人数を知らせるサービスの情報要求画面〕
次に、図１６を用いて情報参照用端末６０に表示されるゲート通過人数を知らせるサービスの情報要求画面について説明する。
図１６は、ゲート通過人数を知らせるサービスの情報要求画面を示す模式図である。
【００８４】
ゲート通過人数を知らせるサービスの情報要求するときには、情報参照用端末６０には、サービスの情報要求画面として情報要求事項が表示される。この要求事項とは必要とする情報の期間、ゲート名（駅名等）を指定することができる。さらに方向別の通過数、差引人数などの調査項目を指定する事もできるし、全てを要求することもできる。ユーザが適当な入力をすることにより、例えば、以下の例のような具体的な情報をシステムより得ることができる。
【００８５】
例１１  「１２月３日午後０時より午後５時までの間で、東京駅の改札を出た（入った）人数」
例１２  「現在、甲子園球場内に残っている人数（入場者数から出場者数の差引人数）」
例１３  「８月２０日に開催される横浜アリーナでの催し物に参加すると思われる人の数（チケット発券端末、また、会場の出入り口センサより）」
〔エリア人数を知らせるサービスの情報要求画面〕
次に、図１７を用いて情報参照用端末６０に表示されるエリア人数を知らせるサービスの情報要求画面について説明する。
図１７は、エリア人数を知らせるサービスの情報要求画面を示す模式図である。
【００８６】
情報参照用端末６０には、エリア人数を知らせるサービスの情報要求画面として情報要求事項が表示される。この要求事項とは、いつ（日時）とそのエリア指定をすることができる。さらに密度、絶対数などの調査項目を指定する事もできるし、全てを要求することもできる。例えば、以下の例のような具体的な情報をシステムより得ることができる。
【００８７】
例２１  「現在、東京２３区内において、各区の人口（携帯電話端末使用者の人数の絶対数）を円の大きさで示したマークが表示されているマップ表示」
例２２  「昨日、渋谷駅周辺エリアにおいて、人口密度（携帯電話端末と改札機のカウント数より予測した数値）を色の濃淡で示したマップ表示」
例２３  「現在、幕張メッセ内にいる人数（チケット発券端末から得られた情報と出入り口センサのカウント数より計算した数値」
〔オプション機能を実現する時の情報要求画面〕
次に、図１８を用いて情報参照用端末６０に表示されるオプション機能を実現する時の情報要求画面について説明する。
図１８は、オプション機能を実現する時の情報要求画面を示す模式図である。
【００８８】
ここで、オプション機能とは、属性絞込み、履歴表示、予想情報表示機能である。
【００８９】
ゲート通過人数の送信、または、エリア人数情報の送信を受けた後に、その結果情報参照用端末６０の出力画面には、履歴ボタン、予想ボタン、絞り込みボタンという機能指定ボタンが配置されている。これらの機能指定ボタンを用いることにより、情報の精度を上げたり、時間変化を踏まえた質の高い情報を得ることができる。
【００９０】
履歴ボタンを押すと履歴情報サービスが得られる。これは、情報加工配信サーバ４１がデータベースサーバ３０に記録されている過去の情報を時間軸で検索することにより、履歴情報として参照できることを利用する。この機能により、ユーザはある特定の時間の情報を参照することができる。さらに、時間軸と取得情報を同じグラフ上に対応させて表示することにより、時間軸に対する数値の変化を簡単に知ることができる。
【００９１】
また、予想ボタンを押すと予想情報サービスが得られる。これは、情報加工配信サーバ４１がデータベースに記録されている過去の情報を元に情報を分析することにより、未来の傾向を推測できることを利用する。ユーザは未来の特定時間の予測情報を参照して利用できる。さらに、時間軸と取得情報を同じグラフ上に対応させて表示することにより、時間軸に対する数値の変化を簡単に知ることができる。
【００９２】
加えて、絞り込みボタンを押すと提供された情報を絞り込んだ新たな情報が得られる。これはデータベースに記録されている情報に付随している属性情報を元に検索をする。例えば、「現在、幕張メッセ内にいる人数」という結果に対して、「現在、幕張メッセ内にいる２０代の男性の人数」と言う様に絞込みを掛けることができる。属性情報の範囲は、情報入力端末から得られる属性情報の範囲に依存している。
【００９３】
さらに、履歴、予想、絞り込みの各機能は通常のサービス結果画面が現れた後にだけ使用できるばかりでなく、通常の情報要求と同時に表示を要求するサービスのときにも提供することができる。
【００９４】
〔地図による結果の表示例〕
次に、図１９を用いて情報参照用端末６０に表示される地図による結果の表示例を説明する。
図１９は、情報参照用端末６０に表示される地図による結果の表示例を示す模式図である。
【００９５】
本システムに設置される情報入力端末である携帯電話端末、出入り口センサ、改札機により、人の流れを把握することができるため、完全ではないがある地域の人口密度などを推測することができる。
【００９６】
例えば、例２２で示したように、ユーザが「昨日、渋谷駅周辺エリアにおいて、人口密度」の要求をしたとする。このとき、情報加工配信サーバ４１は、地図上に結果をマッピングして、情報参照用端末６０に送信する。
【００９７】
この地図は、渋谷駅付近の地図と人口密度が円の大きさで相対的に表示されてい
る。
【００９８】
〔本発明の情報配信システムによるビジネスモデル〕
次に、図２０および図２１を用いて本発明の情報配信システムによるビジネスモデルについて説明する。
（Ｉ）有料情報提供
先ず、図２０を用いて有料情報提供をおこなう場合のビジネスモデルについて説明する。
図２０は、本発明の情報配信システムによるビジネスモデルで、有料情報提供をする場合の模式図である。
【００９９】
ビジネスモデルしてのシステムは、図１の構成に課金センタ１００を設けて、オンラインバンク１１０、クレジットカード会社１２０などから課金する例が考えられる。
【０１００】
課金の仕方は、ユーザが情報提供を求める際にポイント化して、口座から料金を引き出すようにしてもよいし、定額制で月ぎめ料金で徴収するようにしてもよい。
【０１０１】
やり方としては、例えば、カード番号、口座番号と暗証番号を入力し、料金徴収合意ボタンをクリックすると、そのユーザとの契約が成立したとみなし、本システムで収集し加工した情報を配信して、料金を徴収することにする。
【０１０２】
本発明では、リアルタイムで人の流れの把握が可能である。したがって、想定できるユーザとしては、タクシ会社とその運転手、飲食業者などが考えられる。
【０１０３】
タクシ会社とその運転手は、催し物会場のチケット発券状況、駅改札口のカウント人数により、人の多い所に配車することが能率的な経営につながることになる。
【０１０４】
また、飲食業者は、催し物会場の周辺、または、催し物会場に店があるときには、来客人数をチケット発券状況により予測して、仕入れ食材の管理などに生かすこともできる。また、同様に、駅周辺に店があるときには、駅改札口のカウント人数により来客人数を予測できる。
（ＩＩ）チケット販売の広告
先ず、図２１を用いてチケット販売の広告をおこなう場合のビジネスモデルについて説明する。
図２１は、本発明の情報配信システムによるビジネスモデルで、チケット販売の広告に利用した場合の模式図である。
【０１０５】
本発明は、図２１に示されるように、チケットの発券状況をユーザに広告として提供する場合に利用できる。チケット会社にとっては、キャンセルが出た場合の補充を簡単におこなうことができ、ユーザにとっては、参加したい催し物のチケットが購入できるか否かということを即座に知ることができるというメリットがあり、チケットの販売促進と売上の増加が期待できる。
【０１０６】
【発明の効果】
本発明によれば、様々な情報入力端末から、位置情報とその位置に関わる人数をカウントして、リアルタイム性を保証しながら、それを加工してユーザの望む形態で参照することのできる情報配信システムを提供することがてきる。
【図面の簡単な説明】
【図１】本発明に係る情報配信システムの構成図である。
【図２】情報入力端末が改札機である場合の情報収集システムの構成図である。
【図３】情報入力端末が改札機である場合の実施手順を示したフローチャートである。
【図４】情報入力端末が出入り口センサである場合の情報収集システムの構成図である。
【図５】情報入力端末が出入り口センサである場合の実施手順を示したフローチャートである。
【図６】情報入力端末がチケット発券端末である場合の情報収集システムの構成図である。
【図７】情報入力端末がチケット発券端末である場合の実施手順を示したフローチャートである。
【図８】情報入力端末がエレベータ乗降センサである場合の情報収集システムの構成図である。
【図９】情報入力端末がエレベータ乗降センサである場合の実施手順を示したフローチャートである。
【図１０】情報入力端末がＰＯＳシステムのレジ端末である場合の情報収集システムの構成図である。
【図１１】情報入力端末がＰＯＳシステムのレジ端末である場合の実施手順を示したフローチャートである。
【図１２】情報入力端末がＥＴＣ端末である場合の情報収集システムの構成図である。
【図１３】情報入力端末が携帯電話端末である場合の情報収集システムの構成図である。
【図１４】本実施形態に係る情報参照用端末６０からの情報要求の実施手順を示したフローチャートである。
【図１５】本実施形態に係る情報配信システムの要求情報解析と情報出力の実施手順の実施手順を示したフローチャートである。
【図１６】ゲート通過人数を知らせるサービスの情報要求画面を示す模式図である。
【図１７】エリア人数を知らせるサービスの情報要求画面を示す模式図である。
【図１８】オプション機能を実現する時の情報要求画面を示す模式図である。
【図１９】情報参照用端末６０に表示される地図による結果の表示例を示す模式図である。
【図２０】本発明の情報配信システムによるビジネスモデルで、有料情報提供をする場合の模式図である。
【図２１】本発明の情報配信システムによるビジネスモデルで、チケット販売の広告に利用した場合の模式図である。
【符号の説明】
１０−ａ〜１０−ｎ…施設毎カウント処理装置
１６…店毎カウント処理装置
１７…チケット発券会社システム
２１−ａ〜２１−ｎ…情報入力端末
２５−ａ〜２５−ｎ…改札機
２６−ａ〜２６−ｃ…出入り口センサ
２７−ａ〜２７−ｃ…エレベータ乗降センサ
２８−ａ〜２８−ｃ…レジ端末
２９−ａ〜２９−ｃ…チケット発券端末
３０…データベースサーバ
４１…情報加工配信サーバ
６０−ａ〜６０−ｎ…情報参照用端末
８０−ａ〜８０−ｎ…地域毎カウント処理装置
【図１】
2004288120.tif 000003
【図２】
2004288120.tif 000004
【図３】
2004288120.tif 000005
【図４】
2004288120.tif 000006
【図５】
2004288120.tif 000007
【図６】
2004288120.tif 000008
【図７】
2004288120.tif 000009
【図８】
2004288120.tif 000010
【図９】
2004288120.tif 000011
【図１０】
2004288120.tif 000012
【図１１】
2004288120.tif 000013
【図１２】
2004288120.tif 000014
【図１３】
2004288120.tif 000015
【図１４】
2004288120.tif 000016
【図１５】
2004288120.tif 000017
【図１６】
2004288120.tif 000018
【図１７】
2004288120.tif 000019
【図１８】
2004288120.tif 000020
【図１９】
2004288120.tif 000021
【図２０】
2004288120.tif 000022
【図２１】
2004288120.tif 000023